(57)【要約】【課題】人為的な操作を必要とせずに、かつ、線路損失による電話端末への供給電圧の低下が発生しても、電話端末に対する適切な電源供給を行うことができる電話システムを提供する。【解決手段】電話端末装置110-nとこの電話端末装置に電源を供給するとともに１または複数の前記電話端末装置を通信網に対して交換接続する電話制御装置120とを有し、前記電話端末装置110-nは、電話制御装置から供給される電源電圧を監視して所定の電圧値を検知して電話制御装置120に対して供給電源の電圧制御を要求し、電話制御装置120は、電圧制御要求信号に基づいた電話端末装置110-nへの供給電源の電圧を制御する。【選択図】  図１
2011071713.tif 000002
【特許請求の範囲】
【請求項１】
電話端末装置と、この電話端末装置に電源を供給するとともに１または複数の前記電話端末装置を通信網に対して交換接続する電話制御装置とを有し、
前記電話端末装置は、
前記電話制御装置から供給される電源電圧を監視し、所定の電圧値を検知すると、前記電話制御装置に対して電圧制御要求信号を送信する端末制御部を備え、
前記電話制御装置は、
複数の任意の電源電圧を出力する電源供給部と、
前記電圧制御要求信号に基づいて前記電話端末装置へ供給する電源電圧を制御する主制御部と
を備えることを特徴とする電話システム。
【請求項２】
請求項１に記載の電話システムにおいて、
前記電源供給部は、前記主制御部から出力される制御信号に基づいて出力電圧を変化させることを特徴とする電話システム。
【請求項３】
電話端末装置と、この電話端末装置に電源を供給するとともに１または複数の前記電話端末装置を通信網に対して交換接続する電話制御装置とを含む電話システムの給電制御方法であって、
前記電話制御装置から前記電話端末装置へ供給される電源電圧を監視して所定の電圧値を検知すると、前記電話制御装置に対する電圧制御要求信号を出力するステップと、
前記電圧制御要求信号に基づいて前記電話端末装置へ供給する電源電圧を制御するステップと
を有することを特徴とする電話システムの給電制御方法。
【発明の詳細な説明】
【技術分野】
【０００１】
本発明は、電話システムおよび電話システムの給電制御方法に関する。
【背景技術】
【０００２】
従来、複数の電話端末装置とこの電話装置を収容する電話制御装置とから構成される電話システムにおいて、電話端末装置の電源は、電話制御装置に備えられた電源ユニットから供給されている場合が多い。このため、収容される電話端末装置の設置状況によっては、線路抵抗の増大による損失により正常に電源を供給できないといった問題があった。
【０００３】
このような問題に対し、特許文献１に示すような技術が知られている。特許文献１に開示される技術は、電話交換機に用いられる加入者回路カードにおいて、このカードの内蔵電源回路により局用電源から電源供給を受けて電話端末用電源と制御回路用の低電圧電源を作成し、電話端末用電源および制御回路用電源が供給され、その際、内蔵電源回路によって作成される電圧は任意に設定でき、収容される電話端末の線路長の長短に応じて供給する電圧を設定する電源設定によって電話端末への電源供給がなされるものである。
【先行技術文献】
【特許文献】
【０００４】
【特許文献１】特開平６−８５９７２号公報
【発明の概要】
【発明が解決しようとする課題】
【０００５】
しかしながら、特許文献１に示す技術では、管理者や設備担当者などによる人為的な操作によって接続される電話端末毎の線路長に応じた電源設定を行わなければならない。
【０００６】
また、特許文献１に示す技術は、線路損失の増大に伴い供給電圧の降下が大きくなった場合に、電源供給側に設けられた保護装置の誤動作を誘発させてしまう可能性に対する考慮がなされていないため、電話端末に対する供給電圧の低下によって電源供給側の保護装置が誤動作し、電話端末への電源供給が停止するといった問題が生じる場合がある。
【０００７】
例えば、線路長の延伸に伴う線路損失の増加によって電話端末への供給電圧の低下が発生する場合、電話端末における消費電力は一定であるため、流れる電流は増加する。この電流が、電源供給側の保護素子の動作条件を満たすような電流値となると、保護素子によって電流が遮断され、電話端末への電源供給が停止する。
すなわち、このような状態においては、電話端末に対して電源が供給されず、電話端末のハードウェアおよびソフトウェアともに正常状態であったとしても、この電話端末をユーザが使用することができないといった状況が発生してしまう。
【０００８】
したがって、本発明は、上述のような問題を解決すべく、人為的な操作を必要とせずに、かつ、線路損失による電話端末への供給電圧の低下が発生しても、電話端末に対して必要な電源供給を行うことができる電話システムを提供することを目的とする。
【課題を解決するための手段】
【０００９】
上記の目的を達成するために、本発明にかかる電話システムは、電話端末装置と、この電話端末装置に電源を供給するとともに１または複数の前記電話端末装置を通信網に対して交換接続する電話制御装置とを有し、前記電話端末装置は、前記電話制御装置から供給される電源電圧を監視し、所定の電圧値を検知すると、前記電話制御装置に対して電圧制御要求信号を送信する端末制御部を備え、前記電話制御装置は、複数の任意の電源電圧を出力する電源供給部と、前記電圧制御要求信号に基づいて前記電話端末装置へ供給する電源電圧を制御する主制御部とを設けたことを特徴とする。
【００１０】
また、本発明の電話システムの電源供給部は、前記主制御部から出力される制御信号に基づいて出力電圧を変化させても良い。
【発明の効果】
【００１１】
本発明によれば、電話端末装置は、電話制御装置から供給される電源電圧を監視して所定の電圧値を検知することで、電話制御装置に対する供給電源から出力される電圧の制御を要求する電圧制御要求信号を出力する。
また、電話制御装置は、電圧制御要求信号を受信すると、この受信した電圧制御要求信号に基づいて電話端末装置に供給する電源電圧を制御する。
したがって、電話端末装置に供給される電源電圧の低下を自動的に検知することによって、電話端末装置へ供給する電源電圧を制御することができ、人為的な操作を必要せずに電話端末装置に対して必要な電源供給を行うことができる。
【図面の簡単な説明】
【００１２】
【図１】本発明の実施の形態にかかる電話システムの構成を示すブロック図である。
【図２】本発明の実施の形態にかかる電話システムにおける給電制御の方法を概念的に示す図である。
【図３】本発明の実施の形態にかかる電話システムにおける電話端末装置の動作を示すフローチャートである。
【図４】本発明の実施の形態にかかる電話システムにおける電話制御装置の動作を示すフローチャートである。
【発明を実施するための形態】
【００１３】
以下、図面を参照して本発明の実施の形態について詳細に説明する。
本実施の形態にかかる電話システムは、電話端末装置と、この電話端末装置に電源を供給するとともに、１または複数の電話端末装置を通信網に対して交換接続する電話制御装置とから構成され、電話端末装置への供給電源電圧を可変制御するものである。
【００１４】
図１に示すように、本実施の形態にかかる電話システム１０は、電話端末装置１１０−１〜１１０−ｎと電話制御装置１２０とから構成されている。
電話端末装置１１０−ｎは、端末制御部１１１−ｎと、端末電源部１１２−ｎと、電話制御装置１２０との接続制御を行う内線インターフェース部（以下「Ｉ／Ｆ部」とする。）１１３−ｎとから構成されている。
【００１５】
電話制御装置１２０は、主制御部１２１と、電源供給部１２２と、電源供給部１２２からの出力を所定値以上とならないよう保護する保護素子１２３と、電話端末装置１１０−ｎとの接続制御を行う内線Ｉ／Ｆ部１２４と、通信網１との接続接続インターフェースであって通信網１に対して電話端末装置１１０−ｎを交換接続する外線Ｉ／Ｆ部１２５とから構成されている。
なお、保護素子１２３には、例えば、素子に流れた電流による自己発熱とともに抵抗値が増加することで流れる電流を制限するＰＴＣ（Positive Temperature Coefficient ）サーミスタといった回路保護素子を用いることが多い。よって、本実施の形態にかかる電話システムの説明において、保護素子１２３は、ＰＴＣサーミスタを用いたとする。
【００１６】
ここで、電話端末装置１１０−ｎと電話制御装置１２０の構成要素について、以下に詳細に説明する。
まず始めに、電話端末装置１１０−ｎの構成要素について説明する。
端末制御部１１１−ｎは、後述する端末電源部１１２−ｎから出力される所定値検出信号が入力されると、電話制御装置１２０に対して供給電源の電圧制御を要求する電圧制御要求信号を送信する。
端末電源部１１２−ｎは、電話制御装置１２０から供給される電源電圧を入力として所望の出力電圧を生成する端末電源生成部１１２ａ−ｎと、電話制御装置１２０から供給される電源電圧を監視し、監視電圧が所定の電圧値となることを検知すると、検知したことを通知する所定値検出信号を出力する供給電圧監視部１１２ｂ−ｎとから構成される。
【００１７】
次に、電話制御装置１２０の構成要素について説明する。
主制御部１２１は、電話端末装置１１０−ｎから送信される電圧制御要求信号を受信すると、この電圧制御要求信号に基づいて電源供給部１２２の出力電圧を制御する。
電源供給部１２２は、電話制御装置１２０の内線Ｉ／Ｆ部１２３に接続される電話端末装置１１０−ｎに対して電源を供給する供給電源出力部１２２ａと、主制御部１２１の制御動作に基づいて供給電源出力部１２２ａの出力電圧を変化させる出力電圧可変部１２２ｂとから構成される。
【００１８】
なお、上述した電話端末装置１１０−ｎおよび電話制御装置１２０の各機能は、電話端末装置１１０−ｎおよび電話制御装置１２０に搭載されたＣＰＵ（中央演算装置）やメモリ、インターフェースからなるコンピュータにコンピュータプログラム（ソフトウェア）をインストールすることによって実現され、上記コンピュータの各種ハードウェア資源と上記コンピュータプログラムとが協働して実現される。
【００１９】
次に、本実施の形態にかかる電話システム１０の給電制御動作について、図を参照して説明する。
【００２０】
図２は、本実施の形態にかかる電話システム１０の給電制御の方法について概念的に示す図である。ここでは、本実施の形態にかかる電話システム１０の給電制御について図２を参照して詳細に説明する。
【００２１】
電話端末装置１１０−ｎと電話制御装置１２０とは、図２に示すように、線路を介してそれぞれの内線Ｉ／Ｆ部によって接続されている。この電話端末装置１１０−ｎと電話制御部１２０とを接続する線路の長さ（以下「線路長」という。）が延びるにつれ、線路の線路抵抗が増大し、線路抵抗に基づく線路損失が増大する。
よって、電話制御装置１２０の電源供給部１２２から電圧Ｖoutで出力され電話端末装置１１０−ｎへ供給される電源電圧は、線路損失によって低下する。すなわち、電話端末装置１１０−ｎに入力される供給電圧Ｖinは、線路損失の影響によって電源供給部１２２の出力電圧Ｖoutよりも低い電圧値となる（図２における(A),(B)）。
【００２２】
本実施の形態にかかる電話システム１０の給電制御は、電話端末装置１１０−ｎの端末電源部１１２−ｎによって電話制御装置１２０から供給される供給電圧Ｖinを監視して供給電圧Ｖinの低下を検知することにより、電話制御部１２０の電源供給部１２２の出力電圧Ｖoutを制御して供給電圧Ｖinを上昇させるものである。
【００２３】
具体的に説明すると、端末電源部１１２−ｎによる監視電圧が、予め定められた電圧値以下になると、端末電源部１１２−ｎは、供給電圧の低下を検知したことを通知する所定値検出信号を端末制御部１１１−ｎに対して出力する。
端末制御部１１１−ｎは、所定値検出信号が入力されると、供給電圧の制御の要求である電圧制御要求信号を内線Ｉ／Ｆ部１１３−ｎを介して電話制御装置１２０に対して送信する（図２における(E)）。
電話制御部１２０の主制御部１２１は、電話端末装置１１０−ｎから送信された電圧制御要求信号を受信すると、この電圧制御要求信号に基づいて電源供給部１２２の出力電圧Ｖoutを制御する（図２における(F)）。
【００２４】
したがって、電話端末装置１１０−ｎから送信される電圧制御要求信号に基づいて主制御部１２１が電源供給部１２２の出力電圧Ｖoutを制御することにより、電話端末装置１１０−ｎへの供給電圧Ｖinを適切な電圧値に保ち、Ｖinの低下に伴う保護素子１２３の動作による電話端末装置１１０−ｎに対する電源供給の停止を防ぐ。
【００２５】
次に、図３を参照して本実施の形態にかかる電話システム１０の給電制御動作における電話端末装置１１０−ｎの動作を詳細に説明する。
【００２６】
図３に示すように、電話端末装置１１０−ｎの端末電源部１１２−ｎの供給電圧監視部１１２ｂ−ｎは、電話制御装置１２０から供給される供給電圧Ｖinを常に監視する（Ｓ１０１、Ｓ１０２で「NO」）。
供給電圧監視部１１２ｂ−ｎによって監視されている監視電圧、すなわち、電話制御装置１２０からの供給電圧Ｖinが、予め定められた値以下となったことを検出すると（Ｓ１０２で「YES」）、供給電圧監視部１１２ｂ−ｎは、端末制御部１１１−ｎに対して所定値検出信号を出力し（Ｓ１０３）、供給電圧Ｖinの低下を通知する。
【００２７】
ここで、供給電圧Ｖinの監視は、例えば、供給電圧Ｖinの検知電圧として予め定めた電圧値を降伏電圧にもつツェナーダイオードを利用した電圧検知回路によって実現することができ、また、コンパレータ等の電圧検知ＩＣを利用した電圧検知回路を構成しても良く、さらには、ＣＰＵのＡ／Ｄ変換機能を利用しても良い。
本実施の形態においては、このような電圧検知回路を用いて監視電圧（供給電圧Ｖin）が所定の電圧値以下となっているか否かを監視し、監視電圧Ｖinが所定の電圧値以下となったことを端末制御部１１１−ｎに対し通知する。
【００２８】
供給電圧監視部１１２ｂ−１によって所定値検出信号が出力されて端末制御部１１１−ｎに入力されると、端末制御部１１１−ｎは、供給電圧Ｖinの上昇を要求する電圧制御要求信号を電話制御装置１２０に対して送信する（Ｓ１０４）。
【００２９】
ここで、端末制御部１１１−ｎによって送信される電圧要求信号は、例えば、本実施の形態にかかる電話システム１０の電話端末装置１１０−ｎと電話制御装置１２０との間で行われる通信の方式として採用される時分割方向制御方式（いわゆる「ピンポン伝送方式」）に則った制御コマンドとすることができる。
【００３０】
電圧制御要求信号の送信の後、一定時間の経過後（Ｓ１０５）、供給電圧監視部１１２ｂ−ｎは、供給電圧Ｖinが予め定められた値以下であるか否かを判定する（Ｓ１０６）。
供給電圧Ｖinが予め定められた値以下であった場合（Ｓ１０６で「YES」）、電話端末装置の各構成要素は、再び電話制御装置１２０に対して供給電圧Ｖinの上昇を要求する（Ｓ１０３から順次実施）。
供給電圧Ｖinが予め定められた値以下でなかった場合（Ｓ１０６で「NO」）、供給電圧Ｖinは適切な電圧値へ復帰していることから、端末電源部１１２−ｎによる供給電圧Ｖinの監視動作が実施される（Ｓ１０１）。
【００３１】
次に、図４を参照して本実施の形態にかかる電話システム１０の給電制御動作における電話制御装置１２０の動作を説明する。
【００３２】
図４に示すように、電話端末装置１１０−ｎから電圧制御要求信号が送信されると（Ｓ１０４）、電話制御装置１２０の主制御部１２１は、内線Ｉ／Ｆ部１２３を介してこの電圧制御要求信号を受信する（Ｓ２０１）。
受信した電圧制御要求信号に基づいて、主制御部１２１は、電源供給部１２２の供給電源出力部１２２ａからの出力電圧Ｖoutの制御命令である出力電圧制御信号を出力電圧可変部１２２ｂに対して出力する（Ｓ２０２）。
この出力電圧制御信号を入力した出力電圧可変部１２２ｂは、供給電源出力部１２２ａの出力電圧Ｖoutを出力電圧制御信号に基づいて所定の電圧値へ変更する（Ｓ２０３）。
【００３３】
ここで、電源供給部１２２の出力電圧Ｖoutの制御について具体的に説明する。
例えば、電源供給部１２２の供給電源出力部１２２ａからの出力電圧Ｖoutは出力電圧可変部１２２ｂによって変化させることができ、かつ、通常の出力電圧Ｖoutが２８Ｖである電話制御装置１２０と、供給電圧Ｖinの検知電圧（保護素子１２３の動作を誘発する可能性がある電圧）が２６Ｖに設定されている電話端末装置１１０−ｎとから構成される電話システム１０では、線路長の延伸により電話端末装置１１０への供給電圧Ｖinが２６Ｖを下回ると、電話端末装置１１０から電圧制御要求信号が電話制御装置１２０に対して送信される。
【００３４】
電圧制御要求信号を受信した電話制御装置１２０の主制御部１２１は、供給電圧Ｖinが２６Ｖより高い電圧となるよう、供給電源出力部１２２ａの出力電圧Ｖoutを制御するため出力電圧可変部１２２ｂに対して電圧制御信号を出力する。
例えば、供給電源出力部１２２ａの出力電圧Ｖoutには、予め複数の出力電圧（２８Ｖ，３０Ｖ，３２Ｖ）が用意され、どの出力電圧に切り替えるかを電圧制御信号に基づき出力電圧可変部１２２ｂによって制御する、とすることができる。
【００３５】
このように、本実施の形態にかかる電話システム１０は、電話端末装置１１０−ｎによって電話制御装置１２０から供給される電源電圧を監視し、所定の電圧値を検知することで、電話制御装置１２０に対して供給電源の電圧制御を要求され、また、電話制御装置１２０によって電圧制御要求信号に基づいた電話端末装置１１０−ｎへの供給電源の電圧を制御される。
したがって、電話端末装置に供給される電源電圧の低下を自動的に検知し電源電圧を制御することによって、線路長の延伸などによる線路損失が発生した場合でも、人為的な操作を必要としないで電話端末装置に対する安定した電源供給を行うことができる。
【産業上の利用可能性】
【００３６】
ボタン電話システムやＰＢＸシステムといった電話システムの電源供給制御に利用可能である。
【符号の説明】
【００３７】
１…通信ネットワーク、１０…電話システム、１１０−１〜１１０−ｎ…電話端末装置、１１１−１〜１１１−ｎ…端末制御部、１１２−１〜１１２−ｎ…端末電源部、１１２ａ−１〜１１２ａ−ｎ…端末電源生成部、１１２ｂ−１〜１１２ｂ−ｎ…供給電圧監視部、１１３−１〜１１３−ｎ…内線Ｉ／Ｆ部（電話端末装置）、１２０…電話制御装置、１２１…主制御部、１２２…電源供給部、１２２ａ…供給電源出力部、１２２ｂ…出力電圧可変部、１２３…保護素子、１２４…内線Ｉ／Ｆ部（電話制御装置）、１２５…外線Ｉ／Ｆ部。
【図１】
2011071713.tif 000003
【図２】
2011071713.tif 000004
【図３】
2011071713.tif 000005
【図４】
2011071713.tif 000006